(57)【要約】【課題】取付台のような既設の部材を利用して、天板の振動を抑制する。【解決手段】キャビネット４の底板５に、送風機３の取付台２０が取り付けられ、取付台２０の上部に位置する支持部２２が天板６に対向し、支持部２２に振動抑制部３０が設けられる。振動抑制部３０は、取付台２０の上部の一部を切り起こして、取付台２０に一体的に形成される。弾性変形可能な振動抑制部３０の先端が天板６に接触して、振動する天板６の振動を抑制する。【選択図】図３
2017058083.tif 000002
【特許請求の範囲】
【請求項１】
天板を有するキャビネットに、圧縮機、熱交換器および送風機が収納された空気調和機であって、キャビネット内部に、天板以外のキャビネットに取り付けられた固定体が設けられ、固定体は天板の近くに配され、天板の振動を抑えるために、固定体と天板とを接触状態にする振動抑制部が固定体あるいは天板に一体的に設けられたことを特徴とする空気調和機。
【請求項２】
振動抑制部は、弾性を有するように固定体の一部あるいは天板の一部を変形させて形成されることを特徴とする請求項１記載の空気調和機。
【請求項３】
キャビネットの底板に、固定体として送風機の取付台が取り付けられ、取付台の上部が天板に対向し、取付台の上部に振動抑制部が設けられ、振動抑制部が天板に接触することを特徴とする請求項１または２記載の空気調和機。
【請求項４】
振動抑制部は、取付台の上部の一部を切り起こして形成され、弾性変形可能な振動抑制部の先端が天板に押し当たることを特徴とする請求項３記載の空気調和機。
【請求項５】
振動抑制部は天板の中央付近に接触することを特徴とする請求項３または４記載の空気調和機。
【発明の詳細な説明】
【技術分野】
【０００１】
本発明は、圧縮機、熱交換器および送風機を収納するキャビネットを備えた空気調和機に関する。
【背景技術】
【０００２】
室内機と室外機とを有する空気調和機では、室外機のキャビネットに圧縮機、熱交換器および送風機が収納される。圧縮機および熱交換器は、キャビネットの底板に固定される。送風機は、底板に固定された取付台に支持される。
【０００３】
圧縮機や送風機が駆動されると、振動が発生して、キャビネットに伝わる。天板が振動して、騒音が生じる。天板の振動の防止対策として、例えば、特許文献１では、取付台の上端に、熱交換器の上部を覆う上端部が取り付けられ、熱交換器の上方では、上端部と天板との間に弾性部材が設けられる。また、取付台の上方では、上端部と天板との間に隙間が形成される。取付台の上端部と天板とは直接的に接触することがないので、圧縮機による振動が発生しても、上端部と天板とが直接接触することによる騒音は発生しない。
【先行技術文献】
【特許文献】
【０００４】
【特許文献１】特開２０１３−２３１５３０号公報
【発明の概要】
【発明が解決しようとする課題】
【０００５】
取付台が直接天板に接触しないため、取付台から天板に振動は伝わらない。しかし、取付台には天板の振動を抑える機能はないので、キャビネットから天板に振動が伝わって、天板が振動しているとき、この振動を抑制することができない。天板の振動を抑制するためには、取付台と天板との間に弾性部材を設けるといったように、追加した別部品を取り付ける必要がある。
【０００６】
本発明は、上記に鑑み、取付台などの既設の部材を利用して、天板の振動を抑制することができる空気調和機の提供を目的とする。
【課題を解決するための手段】
【０００７】
本発明の空気調和機は、天板を有するキャビネットに、圧縮機、熱交換器および送風機が収納され、キャビネット内部に、天板以外のキャビネットに取り付けられた固定体が設けられ、固定体は天板の近くに配され、天板の振動を抑えるために、固定体と天板とを接触状態にする振動抑制部が固定体あるいは天板に一体的に設けられたものである。
【０００８】
天板の振動が天板に接触した振動抑制部に伝わり、天板の振動エネルギが吸収される、あるいは振動が減衰され、天板の振動が抑制される。
【０００９】
振動抑制部は、弾性を有するように固定体の一部あるいは天板の一部を変形させて形成される。既設の固定体を利用して、振動抑制部が設けられる。振動抑制部が弾性変形して、天板の振動が減衰される。
【００１０】
キャビネットの底板に、固定体として送風機の取付台が取り付けられ、取付台の上部が天板に対向し、取付台の上部に振動抑制部が設けられる。振動抑制部は、取付台の上部の一部を切り起こして形成され、弾性変形可能な振動抑制部の先端が天板に押し当てられ、振動抑制部が天板に接触する。振動抑制部は天板の中央付近に接触する。
【発明の効果】
【００１１】
本発明によると、既設の固定体を利用した振動抑制部を設けることにより、低コストで天板の振動を抑制することができる。
【図面の簡単な説明】
【００１２】
【図１】本発明の空気調和機の室外機の斜視図
【図２】室外機の水平断面図
【図３】室外機の縦断面図
【図４】取付台の斜視図
【図５】他の形態の振動抑制部の斜視図
【図６】第２実施形態の振動抑制部の斜視図
【図７】第３実施形態の取付台の斜視図
【図８】第４実施形態の室外機の縦断面図
【図９】第５実施形態の室外機の縦断面図
【図１０】他の形態の振動抑制部を示す図
【図１１】他の形態の振動抑制部を示す図
【図１２】他の形態の振動抑制部を示す図
【図１３】他の形態の振動抑制部を示す図
【発明を実施するための形態】
【００１３】
（第１実施形態）
本実施形態の空気調和機は、室外機と室内機とが配管および配線により接続されて構成される。室外機は、圧縮機、四方弁、室外熱交換器、膨張弁、室外送風機を備える。室内機は、室内熱交換器、室内送風機を備える。
【００１４】
図１、２に示すように、室外機は、圧縮機１、室外熱交換器２、室外送風機３などの部品がキャビネット４に収納されて構成される。鋼板製のキャビネット４は、底板５、天板６および四方を囲む側板７〜１０から形成される。側板７〜１０は底板５にねじ止めされ、天板６は側板７〜１０の上端に被せられ、ねじ止めされる。４枚の側板は、前板７、後板８、左側板９、右側板１０とされる。なお、側板７〜１０は、４枚に限定されるものではなく、１枚あるいは複数枚の鋼板から形成してもよい。
【００１５】
室外熱交換器２はＬ形に形成され、左側板９から後板８に沿って配置される。室外熱交換器２の前方に、室外送風機３が配置される。キャビネット４内の右側に、圧縮機１、四方弁、膨張弁、配管が配置される。この一角は、仕切板１１によって区画された機械室とされる。機械室に、圧縮機１、四方弁、膨張弁、配管などが収容される。仕切板１１は底板５にねじ止めされている。機械室の上方には、制御装置を搭載した制御基板、電源装置などの電装部品を収容した電装ボックスが配されている。
【００１６】
右側板１０の外側には、室外機の配管に接続された二方弁および三方弁が設けられる。各弁に室内機からの配管が接続され、室内機の配管と室外機の配管とが連通される。各弁を覆うカバー１２が設けられ、カバー１２は右側板１０に着脱可能に装着される。
【００１７】
後板８および左側板９に、吸気口１３が形成される。前板７に、排気口１４が形成され、排気口１４には、格子状のグリル１５が装着されている。前板７の内面側に、室外送風機３のファン１６を囲むベルマウス１７が配置されている。室外送風機３のモータ１８の作動により、吸気口１３から吸い込まれ室外熱交換器２を通った空気は前方の排気口１４から外部に吹き出される。
【００１８】
室外送風機３は、取付台２０に保持される。図３、４に示すように、取付台２０は、鋼板をＬ形に曲げて形成される。取付台２０は、垂直に設置される取付部２１と、前板７に固定される支持部２２とを有する。取付台２０の下端に台座２３が形成され、台座２３が底板５にねじ止めされて、取付台２０は底板５に固定される。取付部２１および支持部２２の左右両側が折り曲げられ、取付台２０の剛性が高められている。
【００１９】
取付部２１には、室外送風機３のモータ１８を取り付けるための取付孔２４が形成され、取付孔２４の上下に通風用の通気孔２５が形成されている。モータ１８は取付孔２４に嵌め込まれてねじ止めされる。支持部２２の前端が前板７にねじ止めされ、支持部２２がキャビネット４に固定される。支持部２２は、天板６に対向して水平に配置され、取付台２０の上端と天板６との間には隙間がある。また、室外熱交換器２の上端と天板６との間にも隙間がある。
【００２０】
そして、天板６の振動を抑えるために、天板６以外のキャビネット４に取り付けられた固定体に、天板６と固定体とを接触状態にする振動抑制部３０が設けられる。ここで、固定体は取付台２０とされる。振動抑制部３０は、天板６に接触する接触片３１と、接触片３１を支持する支持部２２とによって構成される。すなわち、振動抑制部３０は、取付台２０の一部を変形させて形成され、取付台２０に一体的に設けられる。
【００２１】
接触片３１は、支持部２２において前側を基端にして、後側を持ち上げるように、支持部２２の一部が切り起こされて形成される。接触片３１の基端が支持部２２に支持され、先端側が変位可能となる。接触片３１は、上側に向かって傾斜し、接触片３１の先端側は水平になるように折り曲げられる。接触片３１の高さは、支持部２２と天板６との間の隙間よりも大きくされる。これにより、接触片３１の先端側は天板６に押し当てられ、接触片３１は天板６に面接触する。そして、接触片３１は前後方向において天板６の中央に接触する。
【００２２】
他の形態として、図５に示すように、接触片３１の形状を異ならせる。すなわち、接触片３１の先端が切り起こしたままの形状とされる。接触片３１は天板６に線接触する。この場合、接触片３１の先端側を折り曲げる加工が不要となる。
【００２３】
圧縮機１が駆動されると、キャビネット４に振動が伝わり、天板６が振動する。天板６の振動に伴い、接触片３１が上下方向に変位するが、キャビネット４に対して固定された支持部２２は上下方向および水平方向に変位しない。これにより、接触片３１の共振が抑えられる。接触片３１が弾性的に変形することにより、天板６の振動エネルギが振動抑制部３０に吸収される。なお、室外送風機３が駆動されると、取付台２０が振動する。この振動が振動抑制部３０に伝わり、天板６の振動と接触片３１の振動が打ち消しあって、天板６の振動を減衰する効果を得られる。このように、支持部２２により支持された接触片３１が弾性的に変形することにより、天板６の振動が抑制される。
【００２４】
天板６の振動を抑えるための振動抑制部３０は既設の取付台２０の一部を利用して設けることができるので、弾性部材のような別部品を追加しなくてよい。これにより、振動抑制のために部品点数を増やしたり、組立作業を増やす必要がなくなり、簡便に対処することができる。
【００２５】
（第２実施形態）
本実施形態の振動抑制部３０は、図６に示すように、２つの接触片３１を有する。同形状の２つの接触片３１が前後に形成される。なお、その他の構成は、第１実施形態と同じである。
【００２６】
振動抑制部３０は天板６に対して２箇所で面接触するので、振動抑制部３０と天板６との接触面積が増える。天板６との接触面積が広くなり、かつ振動抑制部３０を大きく構成することができるので、より効果的に振動エネルギを多く吸収できる。
【００２７】
他の形態として、２つの接触片３１の形状を異ならせる。すなわち、左右方向の幅および前後方向の長さを変える。ただし、各接触片３１の高さは、支持部２２と天板６との間の隙間よりも大きくされる。天板６の振動分布に応じて、それぞれの接触片３１の接触位置と接触面積を設定することにより、効率よく天板６の振動を抑制できる。
【００２８】
（第３実施形態）
本実施形態の取付台２０は、室外熱交換器２に固定される。図７に示すように、取付台２０の上部において、取付部２１の上端から後側に向かって延びる固定部２６が形成される。固定部２６は、室外熱交換器２の上端に係合され、取付台２０が室外熱交換器２に固定される。そして、振動抑制部３０の接触片３１は、取付部２１の上端から前側に向かって、取付部２１の一部を切り起こすことにより形成され、接触片３１の先端側が水平になるように折り曲げられる。接触片３１の高さは、取付部２１の上端と天板６との間の隙間よりも大きくされる。なお、その他の構成は、第１実施形態と同じである。
【００２９】
振動抑制部３０の接触片３１は天板６に面接触する。天板６が振動すると、接触片３１が上下方向に変位して、接触片３１は弾性的に変形する。固定部２６が室外熱交換器２に固定されることにより、取付部２１の上端は前後方向に変位せず、接触片３１の基端は上下方向および水平方向に変位しない。これにより、天板６の振動エネルギが振動抑制部３０に吸収され、天板６の振動が抑えられる。
【００３０】
（第４実施形態）
本実施形態では、図８に示すように、振動抑制部３０が仕切板１１に設けられる。底板５に立設された仕切板１１は、室外熱交換器２に取り付けられ、天板６以外のキャビネット４に取り付けられた固定体である。仕切板１１の上方には、電装ボックス４０が設置されている。仕切板１１の上端と天板６との間にある隙間に、振動抑制部３０が設けられる。なお、その他の構成は、第１〜第３実施形態と同じである。
【００３１】
振動抑制部３０は、ゴム、ばねなどの弾性部材からなり、仕切板１１の上部に固定されて、仕切板１１と一体化される。振動抑制部３０の上端が天板６に押し当てられ、振動抑制部３０は天板６に面接触する。天板６が振動すると、天板６に接触した振動抑制部３０が上下方向および左右方向に変形して、天板６の振動エネルギを吸収する。このようにして、天板６の振動が抑制される。
【００３２】
（第５実施形態）
本実施形態では、図９に示すように、振動抑制部３０は、キャビネット４内の天板６の近くに配置された電装ボックス４０に設けられる。電装ボックス４０は、右側板１０、室外熱交換器２および仕切板１１に取り付けられる。すなわち、電装ボックス４０は天板６以外のキャビネット４に取り付けられた固定体である。電装ボックス４０と天板６との間には隙間があり、この隙間に振動抑制部３０が設けられる。なお、その他の構成は、第１〜第３実施形態と同じである。
【００３３】
振動抑制部３０は、ゴム、ばねなどの弾性部材からなり、電装ボックス４０の上面に固定されて、電装ボックス４０と一体化される。振動抑制部３０の上端が天板６に押し当てられ、振動抑制部３０は天板６に面接触する。天板６が振動すると、天板６に接触した振動抑制部３０が上下方向および左右方向に変形して、天板６の振動エネルギを吸収する。このようにして、天板６の振動が抑制される。
【００３４】
ここで、仕切板１１あるいは電装ボックス４０に防水用のシール部材が設けられているとき、弾性を有するシール部材を用いることにより、既設のシール部材を振動抑制部３０として利用することが可能となる。これにより、既設のシール部材を利用することができ、部品点数を増やさずにすむ。
【００３５】
以上の通り、本発明の空気調和機は、天板６を有するキャビネット４に、圧縮機１、熱交換器２および送風機３が収納されたものであって、キャビネット４内部に、天板６以外のキャビネット４に取り付けられた固定体が設けられ、固定体は天板６の近くに配され、天板６の振動を抑えるために、固定体と天板６とを接触状態にする振動抑制部３０が固定体あるいは天板６に一体的に設けられている。これにより、既設の固定体を利用して、振動抑制部３０を設けることができる。
【００３６】
振動抑制部３０は、弾性を有するように固定体の一部あるいは天板６の一部を変形させて形成される。これにより、別部品を追加する必要がなくなり、低コストで天板６の振動対策を行える。
【００３７】
キャビネット４の底板５に、固定体として送風機３の取付台２０が取り付けられ、取付台２０の上部が天板６に対向し、取付台２０の上部に振動抑制部３０が設けられ、振動抑制部３０が天板６に接触する。取付台２０がキャビネット４に固定されていることにより、振動抑制部３０の共振を抑えることができ、振動抑制の機能が損なわることはない。
【００３８】
振動抑制部３０は、取付台２０の上部の一部を切り起こして形成され、弾性変形可能な振動抑制部３０の先端が天板６に押し当たる。これにより、弾性を有する振動抑制部３０を簡単に形成することができる。
【００３９】
振動抑制部３０は天板６の中央付近に接触する。これにより、効果的に天板６の振動を抑えることができる。
【００４０】
なお、本発明は、上記実施形態に限定されるものではなく、本発明の範囲内で上記実施形態に多くの修正および変更を加え得ることは勿論である。振動抑制部３０の他の形態を以下に示す。振動抑制部３０の接触片３１は、図１０に示すように、湾曲した形状とされる。接触片３１は、支持部２２において後側を基端にして、前側を切り起こして、Ｕ字状に曲げられて形成される。接触片３１の先端側は後側を向き、天板６に押し当てられ、振動抑制部３０は線接触する。天板６が振動すると、接触片３１が上下方向に変形して、天板６の振動が抑制される。
【００４１】
図１１に示すように、取付台２０の支持部２２が波形のように凹凸に形成される。複数の凸部４１が天板６に線接触する。また、図１２に示すように、取付台２０の支持部２２が上方に向かって湾曲した凸状に形成される。支持部２２が天板６に線接触する。支持部２２の一部が天板６に接触して、天板６を支持する。天板６が振動すると、天板６が支持部２２に擦れて、天板６の振動エネルギが減衰し、天板６の振動が抑制される。
【００４２】
また、天板６に振動抑制部３０が設けられる。例えば、図１３に示すように、天板６の一部が凹凸に形成される。天板６の凹部４２が取付台２０の支持部２２に線接触する。天板６が振動すると、天板６が支持部２２に擦れて、天板６の振動エネルギが減衰し、天板６の振動が抑制される。
【００４３】
仕切板１１の一部を変形させて、振動抑制部３０を形成してもよい。あるいは電装ボックス４０の一部を変形させて、振動抑制部３０を形成してもよい。
【００４４】
振動抑制部３０は、複数の固定体に設けられる。例えば、取付台２０と仕切板１１、取付台２０と電装ボックス４０、仕切板１１と電装ボックス４０、取付台２０と仕切板１１と電装ボックス４０などの組み合わせのように既設の固定体を利用して設けられる。振動抑制部３０が複数箇所で天板６と接触することが可能となり、振動の抑制効果が高まる。
【００４５】
振動抑制部３０は、天板６に接触しているだけであるが、振動抑制部３０を天板６に係合させてもよい。天板６が振動したとき、振動抑制部３０は天板６から離れない。これにより、振動抑制部３０が天板６に当たるときの騒音をなくせる。
【符号の説明】
【００４６】
１    圧縮機
２    室外熱交換器
３    室外送風機
４    キャビネット
５    底板
６    天板
１１    仕切板
２０    取付台
２２    支持部
３０    振動抑制部
３１    接触片
４０    電装ボックス
【図１】
2017058083.tif 000003
【図２】
2017058083.tif 000004
【図３】
2017058083.tif 000005
【図４】
2017058083.tif 000006
【図５】
2017058083.tif 000007
【図６】
2017058083.tif 000008
【図７】
2017058083.tif 000009
【図８】
2017058083.tif 000010
【図９】
2017058083.tif 000011
【図１０】
2017058083.tif 000012
【図１１】
2017058083.tif 000013
【図１２】
2017058083.tif 000014
【図１３】
2017058083.tif 000015